(57)【要約】【課題】  往復葉書の本体上に剥離可能に剥離紙を貼付した仕様の往復葉書において、郵送処理時に往復葉書と剥離紙との間の一部が剥離して、他の郵便物がその剥離した隙間に入り込んだりすることなく、また、受取人において往復葉書の本体から剥離紙を引き剥がす際に往復葉書の本体を破いてしまうというトラブルが生じることを防止すると共に、往復葉書の本体に表示する絵柄や模様を損なわないようにして往復葉書自体の価値を損なわないようにした往復葉書を提供する。【解決手段】  往信用はがきと返信用はがきとが連接され、前記往信用はがき上に接着剤層を有し、前記接着剤層上に、上面に透明性または半透明性を有する粘着剤層及び下面に剥離剤層が形成された透明性または半透明性を有するシートが重ね合わされ、前記粘着剤層上に透明性または半透明性を有する剥離紙が剥離可能に重ねられてなることを特徴とする。【選択図】        図1
2006159818.tif 000002
【特許請求の範囲】
【請求項１】
往信用はがきと返信用はがきとが連接され、前記往信用はがき上に接着剤層を有し、   前記接着剤層上に、上面に透明性または半透明性を有する粘着剤層及び下面に剥離剤層が形成された透明性または半透明性を有するシートが重ね合わされ、前記粘着剤層上に透明性または半透明性を有する剥離紙が剥離可能に重ねられてなることを特徴とする往復葉書。
【発明の詳細な説明】
【技術分野】
【０００１】
本発明は、往復葉書の返信用葉書に記入された事項が返信時に、第三者に盗み見られることを防止することができる往復葉書に関する。
【背景技術】
【０００２】
通常、往復葉書は、往信用葉書と返信用葉書とが連接された構成を有し、往復葉書の受取人が、返信用葉書を往信用葉書から切り離して、返信用葉書の裏面に返信情報の記入を行なって郵便ポストに投函することで、往復葉書の往信者側に対して返信用葉書を利用して返信情報を送ることができるように構成されている。
【０００３】
従来、往復葉書の受取人が、返信用葉書に返信情報として個人情報を記入して返信する場合も多くなっており、返信用葉書が受取人に届くまでの間に第三者に返信用葉書に記入された個人情報が盗み見られるという危険性がある。
このようなことから個人情報の漏洩を防止するために、返信用葉書に記載された情報を隠蔽することができる種々の仕様の往復葉書が提案され公知となっている。（例えば、特許文献１、参照）
【０００４】
これら公知の往復葉書は、往復葉書の本体上に擬似接着剤層を介して剥離紙を剥離可能に貼付した仕様を有する構成としておき、往復葉書の郵送処理の際には簡単に剥離することなく、また受取人がその往復葉書を受け取った後においては、往復葉書の本体から剥離紙を引っ張ることで引き剥がせるように擬似接着剤層の接着力の調整しておく必要がある。
【特許文献１】特開２００３−１１８２６９号公報
【０００５】
しかしながら、上記擬似接着剤層における接着力の調整は難しく、擬似接着剤層の接着力が弱すぎると、往復葉書と剥離紙との間の一部が剥離して、他の郵便物がその剥離した隙間に入り込んで郵便物の機械処理時にトラブルが生じる危険性があり、また、擬似接着剤層の接着力が強すぎると、受取人が往復葉書の本体から剥離紙を引き剥がす際に往復葉書の本体を破いてしまうというトラブルが起こる危険性がある。
【発明の開示】
【発明が解決しようとする課題】
【０００６】
本発明は、往復葉書の本体上に剥離可能に剥離紙を貼付した仕様の往復葉書において、郵送処理時に往復葉書と剥離紙との間の一部が剥離して、他の郵便物がその剥離した隙間に入り込んだりすることなく、また、受取人において往復葉書の本体から剥離紙を引き剥がす際に往復葉書の本体を破いてしまうというトラブルが生じることを防止すると共に、往復葉書の本体に表示する絵柄や模様を損なわないようにして往復葉書自体の価値を損なわないようにした往復葉書を提供する。
【課題を解決するための手段】
【０００７】
本発明の往復葉書は、往信用はがきと返信用はがきとが連接され、前記往信用はがき上に接着剤層を有し、前記接着剤層上に、上面に透明性または半透明性を有する粘着剤層及び下面に剥離剤層が形成された透明性または半透明性を有するシートが重ね合わされ、前記粘着剤層上に透明性または半透明性を有する剥離紙が剥離可能に重ねられてなることを特徴とする。
【発明の効果】
【０００８】
本発明の往復葉書は、往信用葉書上に設けた剥離紙に透明性または半透明性を有し、また、往信用葉書と、その上に設けた剥離紙との間に、上面に透明な粘着剤層及び下面に剥離剤層を有する透明性シートを挟んだ構成を有しているので、郵送処理時に往復葉書と剥離紙との間が簡単に剥離することがないので、他の郵便物がその剥離した隙間に入り込んだりすることを防止することができる。
また、受取人において往復葉書の本体から剥離紙を簡単に引き剥がすことができて、往復葉書の本体を破いてしまうというトラブルが生じることもなく、更に、往復葉書の本体に表示する絵柄や模様を印刷しておくことで、往復葉書の本体上に剥離紙が貼付されていても、これらの絵柄や模様を、剥離紙を透かして目視することができるという効果がある。
【発明を実施するための最良の形態】
【０００９】
以下、本発明の実施形態に係る往復葉書について、図面に基づいて詳細に説明する。
図１は、本発明の実施形態に係る往復葉書の表側から見た状態を示す斜視図、図２は、図１のＡ−Ａ線断面図、図３は、本発明の実施形態に係る往復葉書の剥離紙の一部を剥離させた状態を示す断面図、図４は、本発明の実施形態に係る往復葉書を用いて、返信葉書裏面の情報記入欄を往信葉書本体で隠蔽させた状態を示す断面図、図５は、本発明の実施形態に係る往復葉書において、隠蔽状態にある返信葉書から往信葉書本体を剥離させた状態を示す断面図、図６は、本発明の実施形態に係る往復葉書において、隠蔽状態にある返信葉書から往信葉書本体を剥離させた状態を示す斜視図である。
【００１０】
本発明の実施形態に係る往復葉書１は、図１及び図２に示すように、折り曲げ線２を介して往信用葉書３と返信用葉書４とが連接されている。
そして、往信用葉書３の上面には接着剤層５が設けられ、また、この接着剤層５の上面側に、上面に透明性または半透明性を有する粘着剤層６と下面に剥離剤層７とが形成された透明性または半透明性を有するシート８が重ね合わされている。
更に、透明性または半透明性を有する粘着剤層６の上面には、透明性または半透明性を有する剥離紙９が剥離可能に重ねられている。
したがって、上記の構成により往復葉書１は、剥離紙９を透明性または半透明性を有するシート８から剥離可能に構成され、更に重ね合わされている接着剤層５と剥離剤層７との間から剥離可能に構成されている。
【００１１】
また、往信用葉書３の上面には、郵便マーク１０、郵便番号記入欄１１、その他の種々の絵柄や模様などが印刷により表示されている。
往信用葉書３の上面に印刷されているこれらの郵便マーク１０、郵便番号記入欄１１、その他の種々の絵柄や模様などは、重ねられている剥離紙９が透明性または半透明性を有するので、剥離紙９及び透明性または半透明性を有するシート８を透視して外部から見えるように構成されている。
【００１２】
そして、往復葉書１は、剥離紙９の上面に宛名を記載することで、往復葉書として郵送できるように構成されている。
また、返信用葉書４の裏面側には、返信用葉書４の送り人が記入するための返信情報記入欄１２が設けられており、この返信情報記入欄１２に記入された事項は、折り曲げ線２から折り曲げて往信用葉書３で返信用葉書４の返信情報記入欄１２が隠蔽状態となるようにして形成し、郵送するように構成されている。
【００１３】
この往復葉書１の使用に際しては、往信用葉書３の剥離紙９の上面に宛名を記載すると共に、往信用葉書３の裏面に伝達情報などの印刷や記載を行ない郵便ポストに投函して郵送する。
そして、往信用葉書３の受取人が、返信用葉書４を使用して返信情報を返信する際に、返信情報記入欄１２に所望の事項の記入を行なった後に、図３に示すように、剥離紙９を透明性または半透明性を有するシート８から剥離させて、透明性または半透明性を有するシート８上に設けられている透明性または半透明性を有する粘着剤層６を露出させる。
そして、図４に示すように、返信用葉書４を折り曲げ線２から折り曲げて、透明性または半透明性を有するシート８上に設けられている透明性または半透明性を有する粘着剤層６の表面と、返信用葉書４の返信情報記入欄１２側とを重ね合わせて接着状態として、返信情報記入欄１２を隠蔽状態とする。
【００１４】
このようにして、返信用葉書４の返信情報記入欄１２を、往信用葉書３で隠蔽させて返信用葉書４を郵送する。
そして、返信用葉書４の受取人は、図５に示すように、接着剤層５と剥離剤層７との間から剥離させることで、返信用葉書４の裏面側に重ね合わされている往信用葉書３を剥離させて、返信用葉書４の裏面に記載された返信情報１３が見られる状態とする。
返信用葉書４の裏面側に重ね合わされている往信用葉書３を剥離させると、図６に示すように、返信用葉書４の裏面に記載された返信情報１３は、透明性または半透明性を有するシート８によってカバーされた状態で見られるようにしてあり、返信用葉書４の返信情報記入欄１２に記入された事項を受取人だけが読むことができるようにしてある。
【００１５】
以上のように、本発明に係る往復葉書は、返信用葉書４の受取人が返信用葉書４の裏面に記載された返信情報１３を見る際に、接着剤層５と剥離剤層７との間から往信用葉書３を剥離することができるように構成されている。
これにより、返信用葉書４に重ね合わされた往信用葉書３を引き剥がす際に、返信用葉書４が破れることなくスムーズに剥離できるようにしてある。
更に、剥離紙９が透明性または半透明性を有するので、往信用葉書３に予め印刷しておいた絵柄や模様などを隠蔽状態とすることなく有効に生かせるようにしてある。
【図面の簡単な説明】
【００１６】
【図１】本発明の実施形態に係る往復葉書の表側から見た状態を示す斜視図である。
【図２】図１のＡ−Ａ線断面図である。
【図３】本発明の実施形態に係る往復葉書の剥離紙の一部を剥離させた状態を示す断面図である。
【図４】本発明の実施形態に係る往復葉書を用いて、返信葉書裏面の情報記入欄を往信葉書本体で隠蔽させた状態を示す断面図である。
【図５】本発明の実施形態に係る往復葉書において、隠蔽状態にある返信葉書から往信葉書本体を剥離させた状態を示す断面図である。
【図６】本発明の実施形態に係る往復葉書において、隠蔽状態にある返信葉書から往信葉書本体を剥離させた状態を示す斜視図である。
【符号の説明】
【００１７】
１  往復葉書
２  折り曲げ線
３  往信用葉書
４  返信用葉書
５  接着剤層
６  透明性または半透明性を有する粘着剤層
７  剥離剤層
８  透明性または半透明性を有するシート
９  剥離紙
１０  郵便マーク
１１  郵便番号記入欄
１２  返信情報記入欄
１３  返信情報
【図１】
2006159818.tif 000003
【図２】
2006159818.tif 000004
【図３】
2006159818.tif 000005
【図４】
2006159818.tif 000006
【図５】
2006159818.tif 000007
【図６】
2006159818.tif 000008